(57)【要約】【課題】プラント監視画面作成作業時に未確定のアドレスやロジックについて、アドレス・ロジック決定後に監視画面に容易に割り当てることのできるプラント監視画面作成装置を得る。【解決手段】グラフィック部品エディタ２により、画面部品の表示イメージを示すパラメータ毎にアドレス及びロジックの設定可否を設定して画面部品を作成し、グラフィック画面エディタ１で、この画面部品を配置してプラント監視画面を作成するとともに、パラメータと画面部品ＩＤとを対応付けたパラメータ一覧を出力し、このパラメータ一覧を表形式エディタ７により表示してパラメータ毎にアドレスまたはロジックを入力し、この入力されたアドレスまたはロジックをグラフィック画面エディタ１により、対応するプラント監視画面の画面部品に割り付けるようにした。【選択図】図１
2008197721.tif 000002
【特許請求の範囲】
【請求項１】
画面部品を配置し、この画面部品に関連するプラント制御装置のメモリのアドレス及びアドレスを用いた論理式であるロジックを上記画面部品に割り付けたプラント監視画面を作成するプラント監視画面作成装置において、
上記画面部品の表示イメージを示すパラメータ毎に上記アドレス及びロジックの設定可否を設定して上記画面部品を作成するグラフィック部品エディタ、このグラフィック部品エディタで作成した上記画面部品を配置して上記プラント監視画面を作成し、上記画面部品にこの画面部品を識別する画面部品ＩＤを割り付け、上記アドレス及びロジック設定可としたパラメータを上記画面部品ＩＤとともにパラメータ一覧として出力するグラフィック画面エディタ、及びこのグラフィック画面エディタにより出力された上記パラメータ一覧を読み込み、上記パラメータと上記画面部品ＩＤを表形式で表示し、この表示されたパラメータに、上記画面部品ＩＤに基づき上記アドレス及びロジックが入力され、このアドレス及びロジックが入力された上記パラメータ一覧を出力する表形式エディタを備え、
上記グラフィック画面エディタは、上記アドレス及びロジックが入力された上記パラメータ一覧を読み込み、この読み込まれたパラメータ一覧の各アドレス及びロジックを、対応する上記プラント監視画面の上記画面部品に割り付けることを特徴とするプラント監視画面作成装置。
【請求項２】
画面部品を配置し、この画面部品に関連するプラント制御装置のメモリのアドレス及びアドレスを用いた論理式であるロジックを上記画面部品に割り付けたプラント監視画面を作成するプラント監視画面作成装置において、
上記画面部品の表示イメージを示すパラメータ毎に上記アドレス及びロジックの設定可否を設定して上記画面部品を作成するグラフィック部品エディタ、このグラフィック部品エディタで作成した上記画面部品を配置して座標軸付きの上記プラント監視画面を作成し、上記アドレス及びロジック設定可としたパラメータを上記プラント監視画面での座標値とともにパラメータ一覧として出力するグラフィック画面エディタ、及びこのグラフィック画面エディタにより出力された上記パラメータ一覧を読み込み、上記パラメータと上記座標値を表形式で表示し、この表示されたパラメータに、上記座標値に基づき上記アドレス及びロジックが入力され、このアドレス及びロジックが入力された上記パラメータ一覧を出力する表形式エディタを備え、
上記グラフィック画面エディタは、上記アドレス及びロジックが入力された上記パラメータ一覧を読み込み、この読み込まれたパラメータ一覧の各アドレス及びロジックを、対応する上記プラント監視画面の上記画面部品に割り付けることを特徴とするプラント監視画面作成装置。
【請求項３】
上記表形式エディタにより表形式で表示されるパラメータ一覧には上記画面部品の名称が含まれ、上記表形式エディタは、上記表形式で表示された画面部品の名称を選択して、この選択された画面部品の名称の置き換えを行う画面部品選択手段を有することを特徴とする請求項１または請求項２記載のプラント監視画面作成装置。
【請求項４】
上記アドレスをグループ化し、各アドレスに種別を設定したグループ化アドレスデータベースを備え、
上記グラフィック部品エディタは、上記パラメータに上記種別を設定し、上記表形式エディタは、上記グループ化アドレスデータベースを参照して上記種別をリンクとして上記アドレスをグループ単位で一括して上記パラメータに設定するグループ化アドレス選択手段を有することを特徴とする請求項１〜請求項３のいずれかに記載のプラント監視画面作成装置。
【請求項５】
上記グラフィック画面エディタによって作成されたプラント監視画面は、監視画面データとして記憶されるとともに、上記アドレス及びロジックが入力された上記パラメータ一覧を読み込み、この読み込まれたパラメータ一覧の各アドレス及びロジックを、上記監視画面データに割り付けるアドレス・ロジック合成手段を備えたことを特徴とする請求項１〜請求項４のいずれかに記載のプラント監視画面作成装置。
【発明の詳細な説明】
【技術分野】
【０００１】
この発明は、プラント監視画面を作成するプラント監視画面作成装置に関するものである。
【背景技術】
【０００２】
プラント監視画面は、バルブ・ポンプ・配管などのプラントの機器や機器間の接続を示すグラフィック部品と、プラント機器からの状態を取得するための制御装置のアドレス情報と、アドレス情報を組み合わせたロジックとで構成される。このアドレス情報は、プラント設計の最終段階で決まることが多く、監視画面を最初に作成する段階では確定していないため、アドレス情報やロジック無しで監視画面を作成し、アドレス情報やロジックを後で入力することが行われる。
従来のプラント監視画面作成装置では、例えば特許文献１に記載されているように、アドレス入力工程で、確定していないアドレスについては、アドレスの代わりのシンボルを入力しておき、後のアドレス確定工程で、シンボルに対応するアドレスを入力してシンボルとアドレスを置き換えている。
【０００３】
【特許文献１】特開平１０−１０５２１６号公報（第２〜８頁、図１）
【発明の開示】
【発明が解決しようとする課題】
【０００４】
特許文献１のような従来のプラント監視画面作成装置では、監視画面作成時に監視画面に割り付ける制御装置のアドレスが未決定の場合は、アドレスの代わりに仮のシンボルを入力しておく必要があり、シンボル名には、後でアドレスを割り付けるための意味づけをして割り付けておく必要があり、このシンボル割り付け作業は、自動化することができず、かつ煩雑である。
また、ロジックが未決定の場合は、アドレスの代わりとなるシンボルを仮に入力しても、後工程でアドレスを組み合わせたロジックには置き換えることができないという問題があった。
【０００５】
この発明は、上記のような課題を解決するためになされたものであり、プラント監視画面作成作業時に未確定のアドレスやロジックについて、アドレス・ロジック決定後に監視画面に容易に割り当てることのできるプラント監視画面作成装置を得ることを目的としている。
【課題を解決するための手段】
【０００６】
この発明に係わるプラント監視画面作成装置においては、画面部品を配置し、この画面部品に関連するプラント制御装置のメモリのアドレス及びアドレスを用いた論理式であるロジックを画面部品に割り付けたプラント監視画面を作成するプラント監視画面作成装置において、
画面部品の表示イメージを示すパラメータ毎にアドレス及びロジックの設定可否を設定して画面部品を作成するグラフィック部品エディタ、このグラフィック部品エディタで作成した画面部品を配置してプラント監視画面を作成し、画面部品にこの画面部品を識別する画面部品ＩＤを割り付け、アドレス及びロジック設定可としたパラメータを画面部品ＩＤとともにパラメータ一覧として出力するグラフィック画面エディタ、及びこのグラフィック画面エディタにより出力されたパラメータ一覧を読み込み、パラメータと画面部品ＩＤを表形式で表示し、この表示されたパラメータに、画面部品ＩＤに基づきアドレス及びロジックが入力され、このアドレス及びロジックが入力されたパラメータ一覧を出力する表形式エディタを備え、
グラフィック画面エディタは、アドレス及びロジックが入力されたパラメータ一覧を読み込み、この読み込まれたパラメータ一覧の各アドレス及びロジックを、対応するプラント監視画面の画面部品に割り付けるものである。
【発明の効果】
【０００７】
この発明は、以上説明したように、画面部品を配置し、この画面部品に関連するプラント制御装置のメモリのアドレス及びアドレスを用いた論理式であるロジックを画面部品に割り付けたプラント監視画面を作成するプラント監視画面作成装置において、
画面部品の表示イメージを示すパラメータ毎にアドレス及びロジックの設定可否を設定して画面部品を作成するグラフィック部品エディタ、このグラフィック部品エディタで作成した画面部品を配置してプラント監視画面を作成し、画面部品にこの画面部品を識別する画面部品ＩＤを割り付け、アドレス及びロジック設定可としたパラメータを画面部品ＩＤとともにパラメータ一覧として出力するグラフィック画面エディタ、及びこのグラフィック画面エディタにより出力されたパラメータ一覧を読み込み、パラメータと画面部品ＩＤを表形式で表示し、この表示されたパラメータに、画面部品ＩＤに基づきアドレス及びロジックが入力され、このアドレス及びロジックが入力されたパラメータ一覧を出力する表形式エディタを備え、
グラフィック画面エディタは、アドレス及びロジックが入力されたパラメータ一覧を読み込み、この読み込まれたパラメータ一覧の各アドレス及びロジックを、対応するプラント監視画面の画面部品に割り付けるので、アドレス・ロジックが未決定の状態で、仮のシンボルを入力することなく、プラント監視画面を作成し、アドレス・ロジック決定後の入力・変更作業を容易にすることができる。
【発明を実施するための最良の形態】
【０００８】
実施の形態１．
以下、この発明の実施の形態１を図に基づいて説明する。
図１は、この発明の実施の形態１によるプラント監視画面作成装置を示す構成図である。
図１において、グラフィック画面エディタ１は、プラント監視画面（以下、単に監視画面とも言う）を作成する。グラフィック部品エディタ２は、グラフィック画面作成に使用される画面部品を作成する。画面部品データ３には、グラフィック部品エディタ２で作成された複数の画面部品が格納されている。監視画面データ４及び部品ＩＤ付き画面イメージ５は、グラフィック画面エディタ１で作成される。
部品ＩＤ付きアドレス・ロジック割り当て可能パラメータ一覧６は、グラフィック画面エディタ１で作成される監視画面の部品ＩＤ付きアドレス・ロジック割り当て可能パラメータの一覧である。表形式エディタ７は、部品ＩＤ付きアドレス・ロジック割り当て可能パラメータ一覧６を読み込み、編集する。この表形式エディタ７は、汎用の表形式エディタでもシステム専用の表形式エディタでも良い。部品ＩＤ付きアドレス・ロジック割り当て済みパラメータ一覧８は、表形式エディタ７で部品ＩＤ付きアドレス・ロジック割り当て可能パラメータ一覧６にアドレス・ロジックを割り当て、出力したものである。
なお、アドレスは、画面部品に関連する制御装置のメモリのアドレスであり、ロジックは、アドレスを用いた論理式である。
【０００９】
図２は、この発明の実施の形態１によるプラント監視画面作成装置のグラフィック部品エディタで作成する画面部品の一例を示す図である。
図２のグラフィック部品エディタ２で作成する画面部品とは、プラント監視画面において、システムが用意している線や矩形・円弧・文字列・数値などの基本的な部品を組み合わせて作成した画面部品であり、例えばプラントの配管、ポンプ、タンク、バルブなどの機器や状態を表示する数値や、計器に相当するものである。
図２において、部品名９は、画面部品を識別するために画面部品毎に一つ設定された画面部品の名称である。画面部品の表示イメージ１０は、システムが用意している基本的な画面部品を組み合わせて作成した表示イメージである。基本部品１１は、表示イメージ１０の中で故障の文字列を表示する。パラメータ一覧１２は、画面部品の表示イメージ１０や機能を変更するために、部品ごとに設定するパラメータを示す一覧表である。
例えば、パラメータ名「故障」１３は、パラメータ一覧１２に含まれるパラメータのひとつである。アドレス・ロジック割り当て可否１４は、パラメータ名「故障」１３についてアドレス・ロジック割り当て可否を設定する。パラメータ名「向き」１５は、パラメータ一覧１２に含まれるパラメータのひとつである。アドレス・ロジック割り当て可否１６は、パラメータ名「向き」１５についてアドレス・ロジック割り当て可否を設定する。
【００１０】
図３は、この発明の実施の形態１によるプラント監視画面作成装置のグラフィック画面エディタで作成したプラント監視画面のイメージの一例を示す図である。
図３において、このプラント監視画面は、監視画面データ４として保存されている。画面部品１７は、グラフィック部品エディタ２で作成した図２に示す画面部品を、プラント監視画面に割り付けた状態であり、グラフィック画面エディタ１上での画面部品１７のパラメータ設定画面の例を図４に示す。
【００１１】
図４は、この発明の実施の形態１によるプラント監視画面作成装置のグラフィック画面エディタ上での画面部品のパラメータ設定画面の例を示す図である。
図４において、画面部品毎にパラメータ値が設定されている。
【００１２】
図５は、この発明の実施の形態１によるプラント監視画面作成装置の部品ＩＤ付き画面イメージの一例を示す図である。
図５において、部品ＩＤ付きの監視画面イメージを示し、部品ＩＤ１８は、グラフィック画面部品１７に割り付けた部品ＩＤを表示したものであり、この部品ＩＤ１８は、画面に割り付けた各画面部品に設定される。
【００１３】
図６は、この発明の実施の形態１によるプラント監視画面作成装置の表形式エディタにおけるアドレス・ロジック未割り当て状態の画面例を示す図である。
図６において、部品ＩＤ１９は、グラフィック画面エディタ１で部品に割り当てた部品ＩＤを表示する。部品名２０は、グラフィック画面に割り当てた画面部品の名称を表示する。パラメータ２１は、グラフィック画面に割り当てられた画面部品のパラメータの名称を表示する。アドレス・ロジック２２は、画面部品のパラメータ２１に割り当てるアドレス・ロジックを入力するための列である。
図６では、アドレス・ロジックが未設定である。
【００１４】
図７は、この発明の実施の形態１によるプラント監視画面作成装置の表形式エディタにおけるアドレス・ロジック割り当て済み状態の画面例を示す図である。
図７において、１９〜２２は図６におけるものと同一のものである。図７では、アドレス・ロジックが設定されている。
【００１５】
図８は、この発明の実施の形態１によるプラント監視画面作成装置の動作を示すフローチャートである。
【００１６】
次に、動作について、図８に基づいて説明する。
図８のＳＴＥＰ１において、グラフィック部品エディタ２で画面部品を作成する。はじめに、画面部品を識別するための名称を、例えば、部品名９のように「Ｂ型ポンプ」と設定する。次に、線や矩形・円弧・文字列・数値などの基本的な画面部品や画面部品を組み合わせて、例えば、画面部品の表示イメージ１０のように設定する。さらに、画面部品の表示イメージや機能を変更するための可変パラメータを、例えば、パラメータ一覧１２にあるように、パラメータ名１３に「故障」と設定し、このパラメータにアドレスやロジックを割り当てることにより、文字列を表示する基本部品１１の「故障」文字列の表示／非表示を切り替えて部品の故障状態を表示するものとし、アドレス・ロジック割り当て可否列１４に「可」と設定する。
さらに、パラメータ名１５に「向き」と設定し、このパラメータをポンプの向きが変わるものとし、アドレス・ロジックに依存しない固定的に設定するパラメータとして、アドレス・ロジック割り当て可否１６は、否と設定する。パラメータ一覧１２に示すその他パラメータも同様に設定する。部品編集完了後に、設定した画面部品の情報を画面部品データ３の中に保存する。
【００１７】
次に、ＳＴＥＰ２において、グラフィック画面エディタ１で、図３に示すように、グラフィック部品エディタ２で作成した画面部品データ３の中から選択して、画面部品１７のように、監視画面上に配置するなどしてプラント監視画面を作成する。このとき、図２の例で示した画面部品を配置すると、図４に示すような設定画面で、部品のパラメータを設定する。ここで、アドレス・ロジック割り当て否のパラメータには、固定的な値を設定し、アドレス・ロジック割り当て可のパラメータには、アドレス・ロジックが未決定であれば、アドレス・ロジックは設定しない。
【００１８】
次に、ＳＴＥＰ３において、グラフィック画面エディタ１で、プラント監視画面を作成中または作成後に、画面上に配置した画面部品１７に部品ＩＤを自動または手動で割り当てる。この部品ＩＤは、数字でも文字列でも良いが、画面内でユニークである必要がある。部品ＩＤを手動で割り当てる場合は、パラメータと同じように、図４の設定画面で設定する。部品ＩＤを自動で割り当てる場合は、人が探しやすいように視覚的にわかる順序をもって割り当てることが望ましい。
【００１９】
次に、ＳＴＥＰ４において、グラフィック画面エディタ１は、画面部品に割り当てられた部品ＩＤを、部品ＩＤ表示１８のように画面部品と共に表示する機能と、画面部品と共に印字する機能を持ち、この印字する機能により、部品ＩＤ付き画面イメージ５を出力する。
グラフィック画面エディタ１は、作成した監視画面内で、アドレス・ロジック割り当て可のパラメータについて、パラメータの属する画面部品の画面部品名と部品ＩＤを部品ＩＤ付きアドレス・ロジック割り当て可能パラメータ一覧６として出力する。
【００２０】
次に、ＳＴＥＰ５において、表形式エディタ７は、部品ＩＤ付きアドレス・ロジック割り当て可能パラメータ一覧６を読み込み、例えば図６に示すような表形式で、アドレス・ロジックが未割り当ての状態で表示する。図６の例では、アドレス・ロジック列は、全て空であるが、プラント監視画面作成時にアドレス・ロジックが決定して、グラフィック画面エディタ１でアドレス・ロジックを割り当てたパラメータについては、ロジックやアドレスが入っていてもよい。
表形式エディタ７上で、作業者は、部品ＩＤ１９に表示されている部品ＩＤと、部品ＩＤ付き画面イメージ５に表示される部品ＩＤ表示１８とを関連付けて、入力すべき画面部品を認識し、画面部品のパラメータ２１に対応して、例えば図７のように、アドレス・ロジック２２にアドレスまたはロジックを入力する。表形式エディタ７は、アドレス・ロジック２２に割り当て後に、入力したアドレスまたはロジックを加えて、部品ＩＤ付きアドレス・ロジック割り当て済みパラメータ一覧８に保存する。
【００２１】
次に、ＳＴＥＰ６において、グラフィック画面エディタ１は、監視画面データ４を読み込み、監視画面データ４に対応する部品ＩＤ付きアドレス・ロジック割り当て済みパラメータ一覧８を読み込み、グラフィック画面中の画面部品の属性にアドレスまたはロジックを割り当てて、監視画面を再生成し、アドレス・ロジック割り当て済みの監視画面を作成する。
【００２２】
実施の形態１によれば、監視画面作成時にアドレス・ロジックまたは仮のシンボル入力をせず、画面部品に部品ＩＤを手動または自動で割り付け、その部品ＩＤ付きの画面イメージを参照しながら、入力の容易な表形式のエディタで、アドレス・ロジックを割り当てることにより、アドレス・ロジック決定後の入力・変更作業を容易にすることができる。
また、プラント監視画面作成には監視画面作成技術が必要であり、プラント監視画面作成選任の技術者が行う場合が多く、アドレス・ロジックを設計する技術者がプラント監視画面作成技術者にアドレス・ロジックを連絡して監視画面に反映する場合が多いが、実施の形態１では、表形式の容易なインタフェースで入力できるため、アドレス・ロジックを設計する技術者が、プラント監視画面のアドレス・ロジックを直接容易に編集することが可能になる。
【００２３】
実施の形態２．
図９は、この発明の実施の形態２によるプラント監視画面作成装置を示す構成図である。
図９において、１〜４、７は図１におけるものと同一のものである。図９では、グラフィック画面エディタ１が、座標軸・始点マーク付き画面イメージ２３と、座標付きアドレス・ロジック割り当て可能パラメータ一覧２４と、座標付きアドレス・ロジック割り当て済みパラメータ一覧２５を作成する。つまり、監視画面イメージに座標軸を配置している。
【００２４】
図１０は、この発明の実施の形態２によるプラント監視画面作成装置の座標軸・始点マーク付き画面イメージを示す図である。
図１０は、座標軸・始点マーク付画面イメージ２３の一例であり、横座標軸２６と縦座標軸２７の座標軸を監視画面イメージに追加し、さらに各画面部品の始点座標に始点座標マーク２８を追加している。
【００２５】
図１１は、この発明の実施の形態２によるプラント監視画面作成装置の表形式エディタにおける座標付のアドレス・ロジック未割り当て状態の画面例を示す図である。
図１１において、図６の表形式エディタにおけるアドレス・ロジック未割り当て状態画面例の部品ＩＤ１９に代えて、横座標２９、縦座標３０を設けている。
【００２６】
実施の形態１では、図４に示すように、監視画面の部品に部品ＩＤを割り当て、部品ＩＤ付き画面イメージ５を作成して、この部品ＩＤを参照しながら表形式エディタ７で画面部品パラメータのアドレスやロジックを割り当てる場合について述べたが、実施の形態２は、図１の部品ＩＤ付き画面イメージ５と部品ＩＤ付きアドレス・ロジック割り当て可能パラメータ一覧６と部品ＩＤ付きアドレス・ロジック割り当て済みパラメータ一覧７の代わりに、図９に示すように、座標軸・始点マーク付き画面イメージ２３と座標付きアドレス・ロジック割り当て可能パラメータ一覧２４と座標付きアドレス・ロジック割り当て済みパラメータ一覧２５を追加する。
図１０は、座標軸・始点マーク付画面イメージ２３の一例であり、横座標軸２６と縦座標軸２７の座標軸を監視画面イメージに追加し、さらに各画面部品の始点座標に始点座標マーク２８を追加し、各画面部品の座標を作業者が認識可能とする。
グラフィック画面エディタ１は、部品ＩＤに代えて、画面部品の始点の横座標、縦座標を座標付きアドレス・ロジック割り当て可能パラメータ一覧２４として出力し、各画面部品の横座標と縦座標は、図１１の横座標２９、縦座標３０に示すように、表形式エディタ７に展開される。
作業者は、座標軸・始点マーク付き画面イメージ２３と横座標２９、縦座標３０、部品名２０により、画面イメージと表形式エディタ７上での画面部品の関係を認識して、パラメータ２１に対応するアドレス・ロジックをアドレス・ロジック２２に入力する。
【００２７】
実施の形態２によれば、作業者が画面部品の縦・横座標により画面部品の位置を認識することが可能になるため、図８のＳＴＥＰ３の画面部品に部品ＩＤを割り当てる作業を行わず、実施の形態１と同様の効果を得ることができる。
【００２８】
実施の形態３．
図１２は、この発明の実施の形態３によるプラント監視画面作成装置を示す構成図である。
図１２において、１〜８は図１におけるものと同一のものである。図１２では、表形式エディタ７に、表形式エディタ７で画面部品選択画面により画面部品を選択する画面部品選択機能３１（画面部品選択手段）を設けている。
【００２９】
図１３は、この発明の実施の形態３によるプラント監視画面作成装置の表形式エディタにおいて部品選択画面を表示させた例を示す図である。
図１３において、１９〜２２は図６におけるものと同一のものである。
【００３０】
実施の形態１、２では、プラント監視画面のアドレス・ロジック割り当て作業を表形式で行う場合について述べたが、実施の形態３は、図１２に示すように、表形式エディタ７上で画面部品データ３を参照して、画面部品を選択する画面部品選択機能３１を追加したものである。
これにより、図１３に示すように、表形式エディタ７上で画面部品選択画面３２により画面部品を選択して、画面部品名２０を置き換えることができるようになる。
図１３に示す例では、例えば図６に示す状態で読み込んだ後、部品ＩＤが３の「Ｂ型ポンプ」を画面部品選択画面３２により選択して、画面部品名２０を「Ｈ型ポンプ」に変更している。この変更データを部品ＩＤ付きアドレス・ロジック割り当て済みパラメータ一覧８に保存し、グラフィック画面エディタ１がパラメータへのアドレス・ロジック割り当てと共に、部品ＩＤに対応する画面部品の変更を行うようにして、画面部品の表形式エディタ７上での変更を実現する。
【００３１】
実施の形態３によれば、表形式エディタ上でアドレス・ロジックの入力に加えて、画面部品の変更も可能にすることにより、画面部品の変更もグラフィック画面エディタを使用することなく、入力が容易な表形式エディタで行うことができる。
【００３２】
実施の形態４．
図１４は、この発明の実施の形態４によるプラント監視画面作成装置を示す構成図である。
図１４において、１〜８は図１におけるものと同一のものである。図１４では、グラフィック部品エディタ２に、パラメータと関連付ける種別を定義するパラメータ種別定義機能３３を設け、表形式エディタ７に、種別に基づき同じグループのアドレスを一括して設定するグループ化アドレス選択機能３５（グループ化アドレス選択手段）を設け、プラント監視画面作成装置に、一つの機器に関するアドレスに同じグループ名を設定して、アドレスをグループ化したグループ化アドレスデータベース３４を新たに設けている。
【００３３】
図１５は、この発明の実施の形態４によるプラント監視画面作成装置の種別設定を加えた画面部品の例を示す図である。
図１５において、９、１０、１２は図２におけるものと同一のものである。図１５では、パラメータごとに種別３６を定義し、両者を関連付けている。種別３６には、状態入力、アラーム、アナログ入力、操作出力などが設定される。
【００３４】
図１６は、この発明の実施の形態４によるプラント監視画面作成装置のグループアドレス選択画面の例を示す図である。
図１６は、グループ化アドレス選択機能３５のグループアドレス選択画面例であり、グループ化アドレスデータベース３４の内容を表示している。
グループ名３７は、同一グループのアドレスには同じ名前が設定され、種別３８にはアドレスに対応する種別が設定されている。この種別は図１５のパラメータ毎の種別３６に対応している。グループ設定か個別設定を行うかは、グループ設定ボタン３９か、個別設定ボタン４０を操作することにより、決めることができる。
【００３５】
図１７は、この発明の実施の形態４によるプラント監視画面作成装置の表形式エディタにおいてグループアドレス一括設定した例を示す図である。
図１７において、１９〜２２は図７におけるものと同一のものである。
【００３６】
実施の形態１及び実施の形態２では、プラント監視画面のアドレス・ロジック割り当て作業を表形式で行う場合について述べたが、実施の形態４は、図１４に示すように、グラフィック部品エディタ２にパラメータ種別定義機能３３を加えて、グループ化アドレスデータベース３４を加え、さらに、表形式エディタ７に、画面部品データ３とグループ化アドレスデータベース３４を参照してグループ化されたアドレスを設定するグループ化アドレス選択機能３５を設けて、グループ化されたアドレスを一括してパラメータに設定できるようにした。
グループ化アドレスデータベース３４では、画面部品に相当する機器毎にグループ化する機能を備えて、例えば一つの機器に関する状態のアドレスとアラームのアドレスと操作のアドレスについて、同じグループ名を設定することにより、アドレスをグループにまとめ、かつ、個別のアドレスの種別を定義したものである。
【００３７】
図１５の種別３６は、パラメータ種別定義機能３３で定義され、例えば、状態入力、アラーム、アナログ入力、操作出力などが設定される。
表形式エディタ７上で、部品ＩＤが設定された行を選択して、グループ化アドレス選択機能３５を起動し、図１６のようにグループ化されたアドレスデータの中から一つの行を選択して、グループ設定ボタン３９を押すと、選択した行にあるグループ名と同じグループ名を持つ全てのアドレスが、アドレス毎の種別に対応したパラメータのアドレス・ロジック２２（図１７）に展開される。
例えば、表形式エディタ７上で、図６のように表示されている状態で、部品ＩＤが「２」の行を選択して、グループ化アドレス選択機能３５を起動し、図１６のように表示された状態で、例えばグループ名が「ポンプ１」の行を選択してグループ設定ボタン３９を押すと、図１７のように、部品ＩＤ「２」に対応する行のパラメータの種別に応じて「ポンプ１」グループのアドレスが全てパラメータに設定される。このとき、例えば、種別がアラームであるアドレスが２つあれば、２つのアドレスのＯＲで自動設定するなど、自動的にロジックに展開する機能も備えているものとする。
すなわち、種別によりパラメータとアドレスを紐付けする。
グループ化されているアドレスの中で１点だけを割り付けたい場合は、図１６のように表示された状態で、行を選択して個別設定ボタン４０を押して設定する。
【００３８】
実施の形態４によれば、画面部品のパラメータに種別３６を設定して、グループ化アドレスデータベース３４にて、アドレス毎の種別３８を設定して種別によりパラメータとの関連付けを行うとともに、同じ機器のアドレスをまとめるグループ名３７を設定することにより、複数のパラメータを一括して設定することができ、アドレス・ロジックの割り付け作業を大幅に簡易化することができる。
また、アドレスが自動的に種別の一致したパラメータに設定されるため、誤った種別のアドレスを割り当てることも抑止することができる。
【００３９】
実施の形態５．
図１８は、この発明の実施の形態５によるプラント監視画面作成装置を示す構成図である。
図１８において、１〜８は図１におけるものと同一のものである。図１８では、部品ＩＤ付きアドレス・ロジック割り当て済みパラメータ一覧８を読み込んで、監視画面データ４にアドレス・ロジックを展開するアドレス・ロジック合成機能４１（アドレス・ロジック合成手段）を設けている。
【００４０】
実施の形態１〜実施の形態４では、プラント監視画面のアドレス・ロジック割り当て作業を表形式で行い、グラフィック画面エディタ１上で監視画面データ４にアドレス・ロジックを展開する方式について述べたが、実施の形態５は、図１８に示すように、部品ＩＤ付きアドレス・ロジック割り当て済みパラメータ一覧８を読み込んで、監視画面データ４にアドレス・ロジックを展開するアドレス・ロジック合成機能４１を追加した。
これにより、グラフィック画面エディタ１で、監視画面データ４を開かずにアドレス・ロジックを展開することが可能となる。このアドレス・ロジック合成機能４１は、複数の画面を一度に処理することも可能とする。
【００４１】
実施の形態５によれば、グラフィック画面エディタ１にて監視画面データ４を開くことなく、一度に複数の画面について、アドレス・ロジックを展開できるため、表形式エディタ７で入力したアドレス・ロジックを監視画面データ４に反映する作業を大幅に効率化させることができる。
【図面の簡単な説明】
【００４２】
【図１】この発明の実施の形態１によるプラント監視画面作成装置を示す構成図である。
【図２】この発明の実施の形態１によるプラント監視画面作成装置のグラフィック部品エディタで作成する画面部品の一例を示す図である。
【図３】この発明の実施の形態１によるプラント監視画面作成装置のグラフィック画面エディタで作成したプラント監視画面のイメージの一例を示す図である。
【図４】この発明の実施の形態１によるプラント監視画面作成装置のグラフィック画面エディタ上での画面部品のパラメータ設定画面の例を示す図である。
【図５】この発明の実施の形態１によるプラント監視画面作成装置の部品ＩＤ付き画面イメージの一例を示す図である。
【図６】この発明の実施の形態１によるプラント監視画面作成装置の表形式エディタにおけるアドレス・ロジック未割り当て状態の画面例を示す図である。
【図７】この発明の実施の形態１によるプラント監視画面作成装置の表形式エディタにおけるアドレス・ロジック割り当て済み状態の画面例を示す図である。
【図８】この発明の実施の形態１によるプラント監視画面作成装置の動作を示すフローチャートである。
【図９】この発明の実施の形態２によるプラント監視画面作成装置を示す構成図である。
【図１０】この発明の実施の形態２によるプラント監視画面作成装置の座標軸・始点マーク付き画面イメージを示す図である。
【図１１】この発明の実施の形態２によるプラント監視画面作成装置の表形式エディタにおける座標付のアドレス・ロジック未割り当て状態の画面例を示す図である。
【図１２】この発明の実施の形態３によるプラント監視画面作成装置を示す構成図である。
【図１３】この発明の実施の形態３によるプラント監視画面作成装置の表形式エディタにおいて部品選択画面を表示させた例を示す図である。
【図１４】この発明の実施の形態４によるプラント監視画面作成装置を示す構成図である。
【図１５】この発明の実施の形態４によるプラント監視画面作成装置の種別設定を加えた画面部品の例を示す図である。
【図１６】この発明の実施の形態４によるプラント監視画面作成装置のグループアドレス選択画面の例を示す図である。
【図１７】この発明の実施の形態４によるプラント監視画面作成装置の表形式エディタにおいてグループアドレス一括設定した例を示す図である。
【図１８】この発明の実施の形態５によるプラント監視画面作成装置を示す構成図である。
【符号の説明】
【００４３】
１  グラフィック画面エディタ
２  グラフィック部品エディタ
３  画面部品データ
４  監視画面データ
５  部品ＩＤ付き画面イメージ
６  部品ＩＤ付きアドレス・ロジック割り当て可能パラメータ一覧
７  表形式エディタ
８  部品ＩＤ付きアドレス・ロジック割り当て済みパラメータ一覧
２３  座標軸・始点マーク付き画面イメージ
２４  座標付きアドレス・ロジック割り当て可能パラメータ一覧
２５  座標付きアドレス・ロジック割り当て済みパラメータ一覧
３１  画面部品選択機能
３３  パラメータ種別定義機能
３４  グループ化アドレスデータベース
３５  グループ化アドレス選択機能
４１  アドレス・ロジック合成機能
【図１】
2008197721.tif 000003
【図２】
2008197721.tif 000004
【図３】
2008197721.tif 000005
【図４】
2008197721.tif 000006
【図５】
2008197721.tif 000007
【図６】
2008197721.tif 000008
【図７】
2008197721.tif 000009
【図８】
2008197721.tif 000010
【図９】
2008197721.tif 000011
【図１０】
2008197721.tif 000012
【図１１】
2008197721.tif 000013
【図１２】
2008197721.tif 000014
【図１３】
2008197721.tif 000015
【図１４】
2008197721.tif 000016
【図１５】
2008197721.tif 000017
【図１６】
2008197721.tif 000018
【図１７】
2008197721.tif 000019
【図１８】
2008197721.tif 000020